(57)【特許請求の範囲】
【請求項１】
略方形状の天板部材で構成される第１の商品載置部と、
前記第１の商品載置部と同一形状の天板部材で構成される第２の商品載置部と、
前記第１の商品載置部と前記第２の商品載置部とを接続する支持脚と
を備え、
前記天板部材は、
一方の面側の四隅に配されて前記支持脚の一方側と係合可能な第１の溝部と、
一方の面側の略中央部に配されて前記支持脚の一方側と係合可能な４つの第２の溝部とを備え、
前記天板部材の他方の面側の四隅に配されて前記支持脚の他方側と係合可能な第３の溝部を備えることを特徴とする商品陳列台。
【請求項２】
前記第２の溝部は、対角線上で対向する各第１の溝部との中点を中心として各該第１の溝部と点対称となる位置に設けられていることを特徴とする請求項１に記載の商品陳列台。
【請求項３】
前記支持脚の断面形状は、くの字状であり、前記第２の溝部の平面視の形状は、前記支持脚の断面形状と相似形であることを特徴とする請求項１または２に記載の商品陳列台。
【請求項４】
前記各商品載置部の側面部に、外側に突出した凸部を備え、前記商品載置部の側面部同士を対向させた際に、前記凸部に対応する位置に、該凸部と係合可能な凹部を備えることを特徴とする請求項１〜３の何れか１項に記載の商品陳列台。
【請求項５】
前記各凸部は、所定の表記を行ったカードを保持するカードホルダを係合可能な係合部を備えることを特徴とする請求項４に記載の商品陳列台。
【請求項６】
前記天板部材の他方の面側に、照明器具を係止可能な係止部を備えることを特徴とする請求項１〜５の何れか１項に記載の商品陳列台。
【発明の詳細な説明】
【技術分野】
【０００１】
本実施の形態は、商品陳列台に関する。
【背景技術】
【０００２】
本発明は、例えば、デパートやコンビニエンスストア等において、各種商品の陳列に適した商品陳列台に関するものである。
【０００３】
従来から、天板と、天板と同じ形状の底板と、一端が天板に他端が底板に連結される４本の柱（支持脚）とからなる商品陳列台が知られている。
【０００４】
この種の商品陳列台には、支持脚の下端に高さ調節用のアジャスタを設け、天板の四偶に設けられた受け孔にこのアジャスタを係合させて上下に台を重ねることが出来るようにしたものがある（特許文献１等参照）。
【先行技術文献】
【特許文献】
【０００５】
【特許文献１】特開２００４−３２１５４５号公報
【発明の概要】
【発明が解決しようとする課題】
【０００６】
ところが、従来の構成に係る陳列台では、複数段にわたって積み重ねるときに、下の陳列台の真上に積み重ねるしかなかった。
【０００７】
そのため、複数の陳列台を使用して「ひな壇形状」などに、陳列台を組み立てることができず、各種商品を見栄え良く陳列する各種の陳列態様に対応できないという問題があった。
【０００８】
本実施の形態は、多様な陳列形態に対応することができる商品陳列台を提供する。
【課題を解決するための手段】
【０００９】
本実施の形態の一態様によれば、略方形状の天板部材で構成される第１の商品載置部と、前記第１の商品載置部と同一形状の天板部材で構成される第２の商品載置部と、前記第１の商品載置部と前記第２の商品戴置部とを接続する支持脚とを有する商品陳列台において、前記天板部材の一方の面側には、前記支持脚の一方側と前記天板部材の四隅とを係合可能な第１の溝部と、前記四隅から所定距離だけ離間した領域に位置して、前記支持脚の一方側と係合可能な第２の溝部と、が形成されると共に、前記天板部材の他方の面側には、前記支持脚の他方側と前記天板部材の四隅とを係合可能な第３の溝部が形成されていることを特徴とする商品陳列台が提供される。
【発明の効果】
【００１０】
本実施の形態によれば、多様な陳列形態に対応できる商品陳列台を提供することができる。
【図面の簡単な説明】
【００１１】
【図１】実施の形態に係る商品陳列台をひな壇形状に組み立てた状態を示す全体鳥瞰図。
【図２】（ａ）実施の形態に係る商品陳列台の天板部材の平面図、（ｂ）実施の形態に係る商品陳列台の天板部材の一方向から見た側面図、（ｃ）実施の形態に係る商品陳列台の天板部材の他の方向から見た側面図。
【図３】実施の形態に係る商品陳列台の天板部材の一部を示す裏面図。
【図４】（ａ）実施の形態に係る商品陳列台の支持脚の平面図、（ｂ）実施の形態に係る商品陳列台の支持脚の一方向から見た側面図。
【図５】（ａ）実施の形態に係る商品陳列台の天板部材について、第２の溝部に支持脚を係合させた状態を示す図２のＡ−Ａ線に沿う断面図、（ｂ）実施の形態に係る商品陳列台の天板部材について、第２の溝部に支持脚を係合させた状態を示す図２のＢ−Ｂ線に沿う断面図。
【図６】（ａ）実施の形態に係る商品陳列台の天板部材について、側面部の構成を示す平面図、（ｂ）実施の形態に係る商品陳列台の天板部材について、凸部と凹部を係合させた状態を示す平面図。
【図７】（ａ）実施の形態に係る商品陳列台に適用されるカードホルダの構成を示す側面図、（ｂ）実施の形態に係る商品陳列台に適用されるカードホルダを天板部材に取り付けた状態を示す側面図。
【図８】実施の形態に係る商品陳列台に適用されるキャスタを示す側面図。
【図９】（ａ）実施の形態に係る商品陳列台に適用されるキャスタベースを示す一方向から見た鳥瞰図、（ｂ）実施の形態に係る商品陳列台に適用されるキャスタベースを示す別方向から見た鳥瞰図。
【図１０】実施の形態に係る商品陳列台に適用される照明器具を示す一部平面図。
【図１１】実施の形態に係る商品陳列台をひな壇形状に組み立てた状態の変形例を示す全体鳥瞰図。
【発明を実施するための形態】
【００１２】
次に、図面を参照して、実施の形態を説明する。以下の図面の記載において、同一又は類似の部分には同一又は類似の符号を付している。
【００１３】
また、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１４】
［実施の形態］
（商品陳列台の全体構成）
図１〜図５および図１１を参照して、実施の形態に係る商品陳列台Ｄの全体構成について説明する。
【００１５】
ここで、図１は、実施の形態に係る商品陳列台Ｄ１〜Ｄ５をひな壇形状に組み立てた状態を示す全体鳥瞰図、図１１はその変形例を示す全体鳥瞰図、図２（ａ）は、実施の形態に係る商品陳列台Ｄ１〜Ｄ５の天板部材１０を示す平面図、図２（ｂ）、（ｃ）は、その側面図である。
【００１６】
また、図３は、実施の形態に係る商品陳列台Ｄ１〜Ｄ５の天板部材１０の一部を示す裏面図である。
【００１７】
図４（ａ）は、実施の形態に係る商品陳列台Ｄ１〜Ｄ５の支持脚２０を示す平面図、図４（ｂ）は、その側面図である。
【００１８】
図５（ａ）は、実施の形態に係る商品陳列台Ｄ１〜Ｄ５の天板部材１０について、第２の溝部Ｇ２に支持脚２０を係合させた状態を示す図２のＡ−Ａ線断面図、図５（ｂ）は、Ｂ−Ｂ線断面図である。
【００１９】
本実施の形態に係る商品陳列台Ｄ１〜Ｄ５は、図１等に示すように、略方形状の天板部材１０で構成される第１の商品載置部Ｐ１と、第１の商品載置部Ｐ１と同一形状の天板部材１０で構成される第２の商品載置部Ｐ２と、第１の商品載置部Ｐ１と第２の商品戴置部Ｐ２とを接続する支持脚２０とを有している。
【００２０】
そして、図２に示すように、天板部材１０の一方の面１０Ａ側には、支持脚２０の一方側２０Ａと天板部材１０の四隅Ｃ１〜Ｃ４と係合可能な第１の溝部Ｇ１（Ｇ１ａ〜Ｇ１ｄ）と、四隅Ｃ１〜Ｃ４から所定距離だけ離間した領域に位置して、支持脚２０の一方側２０Ａと係合可能な第２の溝部Ｇ２（Ｇ２ａ〜Ｇ２ｄ）とが形成されている。
【００２１】
さらに、天板部材１０の他方の面１０Ｂ側には、図３に示すように、支持脚２０の他方２０Ｂ側と天板部材１０の四隅Ｃ１〜Ｃ４と係合可能な第３の溝部Ｇ３（Ｇ３ａ〜Ｇ３ｄ）が形成されている。
【００２２】
なお、本実施の形態では、図２（ａ）に示すように、四隅Ｃ１〜Ｃ４から所定距離だけ離間した領域は、天板部材１０の一方の面１０Ａ側の略中央部となるように構成されている。
【００２３】
これにより、図１に示すように、商品陳列台Ｄ５について、半ピッチずれた状態（即ち、例えば、天板部材１０の一辺の長さが５０ｃｍである場合に、商品陳列台Ｄ５は、商品陳列台Ｄ１等から内側に２５ｃｍずれた状態となる）で、商品陳列台Ｄ１〜Ｄ４の上に積み重ねることができ、「ひな壇形状」に組み立てることができる。
【００２４】
したがって、従来のように垂直方向にしか積み重ねることのできない商品陳列台に比して、各種商品をより見栄え良く陳列することが可能となる。
【００２５】
なお、図１に示す商品陳列台Ｄ（Ｄ１〜Ｄ５）の例では、最下段に台座３０が配置され、この台座３０上に、商品陳列台Ｄ１〜Ｄ５が組み立てられている。
【００２６】
また、図１１に示すように、台座３０に代えて、後述するような構成のキャスタ４０（図８参照）を、キャスタベース２００（図９参照）を用いて、最下段の商品陳列台Ｄ１〜Ｄ４の四隅の下端側に取付けるようにしてもよい。
これにより、商品陳列台Ｄ１〜Ｄ５を組み立てた状態で移動させることが可能となる。
【００２７】
なお、キャスタ４０およびキャスタベース２００の構成例については後述する。
【００２８】
また、図１に示す構成例において、台座３０の下方の四隅に、キャスタ４０を取付けるようにしてもよい。
【００２９】
なお、図１に示すひな壇形状の商品陳列台Ｄ（Ｄ１〜Ｄ５）は、陳列形態の一例に過ぎず、段数を増やしたり、水平方向に並べる数を増やすことにより、多様な陳列形態に対応させることが可能である。
【００３０】
（天板部材および支持脚の構成例）
図２〜図６を参照して、商品陳列台Ｄ（Ｄ１〜Ｄ５）を構成する天板部材１０および支持脚２０の構成例について説明する。
【００３１】
図２（ａ）に示すように、天板部材１０の四隅Ｃ１〜Ｃ４には、支持脚２０の一方２０Ａ側と係合可能な第１の溝部Ｇ１（Ｇ１ａ〜Ｇ１ｄ）が形成されている。
【００３２】
各第１の溝部Ｇ１ａ〜Ｇ１ｄの平面視の形状は、図４（ｂ）に示す支持脚２０の断面形状（略「くの字形状」を呈する）と相似形とされている。なお、各第１の溝部Ｇ１ａ〜Ｇ１ｄ内には、挿し込まれる支持脚２０の端部が、天板部材１０の他面１０Ｂ側に突き抜けないように当接する底部が設けられている（図５（ｂ）参照）。
【００３３】
また、図４（ｂ）に示すように、支持脚２０の２０Ａの端部には、長手方向に伸びる凸部２１が形成されており、各第１の溝部Ｇ１ａ〜Ｇ１ｄの形状もこの凸部２１が収まる形状とされている。
【００３４】
また、図２（ａ）に示すように、天板部材１０一方の面１０Ａ側の略中央部には、支持脚２０の一方側２０Ａと係合可能な４つの第２の溝部Ｇ２（Ｇ２ａ〜Ｇ２ｄ）が設けられている。
【００３５】
各第２の溝部Ｇ２ａ〜Ｇ２ｄの平面視の形状は、各第１の溝部Ｇ１ａ〜Ｇ１ｄと同様に、図４（ｂ）に示すような支持脚２０の断面形状である略「く字状」と相似形とされている。
【００３６】
なお、各第２の溝部Ｇ２ａ〜Ｇ２ｄは、対向する各第１の溝部Ｇ１（Ｇ１ａ〜Ｇ１ｄ）と点対称となる位置に設けられている。
【００３７】
また、各第２の溝部Ｇ２ａ〜Ｇ２ｄ内には、挿し込まれる支持脚２０の端部が、天板部材１０の他面１０Ｂ側に突き抜けないように当接する底部１５が設けられている（図５（ａ）参照）。
【００３８】
また、図２（ａ）〜（ｃ）および図６（ａ）に示すように、各商品載置部Ｐ１、Ｐ２を構成する天板部材１０の側面部１０Ｃ、１０Ｄには、外側に突出した凸部５０が設けられている。なお、本実施の形態では、各側面部１０Ｃ、１０Ｄに２個の凸部５０を設けているが、これには限定されず、任意の数の凸部５０を設けるようにできる。
【００３９】
そして、図６（ｂ）に示すように、商品載置部Ｐ１、Ｐ２の側面部１０Ｃ、１０Ｄ同士を対向させた際に、各凸部５０に対応する位置に、凸部５０と係合可能な凹部５１が設けられている。
【００４０】
このような構成により、商品陳列台Ｄ（Ｄ１〜Ｄ５）の組み立て時において、商品載置部Ｐ１、Ｐ２の側面部１０Ｃ、１０Ｄ同士を対向させて配置することで、図６（ｂ）に示すように、凸部５０と凹部５１とを係合させることができる。
【００４１】
したがって、組立後の商品陳列台Ｄ（Ｄ１〜Ｄ５）に外部から力が加わった場合であっても、凸部５０と凹部５１との係合により連結されているので、隣り合う陳列台が横方向にずれることを抑制することができ、商品陳列の見栄えが悪くなる事態を回避することができる。
【００４２】
次に、図３を参照して、天板部材１０他方の面（裏面）１０Ｂ側の構成について説明する。
【００４３】
図３に示すように、天板部材１０の裏面１０Ｂ側には、支持脚２０の他方側２０Ｂと天板部材１０の四隅Ｃ１１〜Ｃ１４と係合可能な第３の溝部Ｇ３（Ｇ３ａ〜Ｇ３ｄ）が形成されている。
【００４４】
各第３の溝部Ｇ３ａ〜Ｇ３ｄの平面視の形状は、前述の第１の溝部Ｇ１ａ〜Ｇ１ｄと同様に、図４（ｂ）に示すような支持脚２０の断面形状である略「く字状」と相似形とされている。
【００４５】
また、天板部材１０の四隅Ｃ１１〜Ｃ１４の対角線に相当する位置には、補強用のリブ５２が形成されている。さらに、天板部材１０の中央部を囲むように略方形状のリブ５３が形成されている。
【００４６】
これにより、天板部材１０で構成される商品載置部Ｐ１、Ｐ２に、各種商品を載せた際の荷重に耐え得るように天板部材１０を補強することができる。
【００４７】
なお、リブ５２の四隅Ｃ１１〜Ｃ１４側には、後述する照明器具５００（図１０参照）を取付けるための係止部１５０が設けられている。より具体的には、係止部１５０は、照明器具５００側に設けられる磁石と着磁するネジ等を螺合可能なネジ孔等で構成される。
【００４８】
また、天板部材１０は、例えば、耐衝撃性、耐熱性に優れたポリカーボネイト等の樹脂を用いて、射出成形法等によって成形される。
【００４９】
支持脚２０は、図４（ｂ）に示すように、略「く字状」の断面形状を有し、長手方向に例えば３００ｍｍ程度の長さで、厚さ３ｍｍ程度に形成される。
【００５０】
また、図４（ｂ）に示すように、支持脚２０の２０Ａの端部には、長手方向に長さ２０ｍｍ程度の凸部２１が形成されている。
【００５１】
なお、支持脚２０は、例えば、スチロール樹脂等を用いて、射出成形法等によって成形される。
【００５２】
（カードホルダ）
図１および図７を参照して、本実施の形態に係る商品陳列台Ｄ（Ｄ１〜Ｄ５）に適用可能なカードホルダ１００について説明する。
【００５３】
図７に示すように、透明樹脂の板材で構成されるカードホルダ１００は、所定の表記（例えば、商品の品名や価格等の表記など）を行ったカード（図示せず）を隙間１０１に挟み込んで保持するカード保持部１００ａと、軟質の樹脂で構成される折曲部１００ｂと、天板部材１０側の凸部５０に形成される係合部（係合溝）５５（図２（ｂ）、（ｃ）および図５（ｂ）等参照）に係合される屈曲部１００ｄを有する垂直部１００ｃとから構成されている。
【００５４】
ここで、係合溝５５は、凸部５０に設けられているので、商品陳列台Ｄを複数使用するときに、陳列台Ｄ同士が隣り合う辺で、凸部５０が凹部５１に嵌ることで係合溝５５が露出することがない。これにより、商品陳列棚Ｄをより整然と配列させることができ、美観を向上させることができる。
【００５５】
そして、カードホルダ１００を用いる場合には、図１に示すように商品陳列台Ｄ（Ｄ１〜Ｄ５）を組み立てた後、カードホルダ１００を取り付けたい位置の天板部材１０の凸部５０に形成されている係合溝５５にカードホルダ１００の垂直部１００ｃの先端部および屈曲部１００ｄを差し込む（図７（ｂ）参照）。
【００５６】
これにより、図１における商品陳列台Ｄ３に示すような状態で、カードホルダ１００が取付けられる。
【００５７】
なお、例えば、商品の品名や価格等の表記を行ったカードは、予めカードホルダ１００のカード保持部１００ａに差し込んでおいてもよいし、カードホルダ１００を商品陳列台Ｄに取り付けた後に差し込むようにしてもよい。
【００５８】
（キャスタ）
図８および図９を参照して、本実施の形態に係る商品陳列台Ｄ（Ｄ１〜Ｄ５）に適用可能なキャスタ４０について説明する。
【００５９】
図８は、実施の形態に係る商品陳列台に適用されるキャスタ４０の構成例を示す側面図である。
【００６０】
図８に示すように、キャスタ４０は、回転自在に設けられる車輪部４０１と、車輪部４０１の上方を覆うカバー部４０２と、固定用のナット４０４と、ナット４０４および車輪部４０１を保持する保持部４０３とから構成されている。
【００６１】
ここで、図８に示す構成例では、ナット４０４として、高ナット（長ナット）を用いている。
【００６２】
この高ナットは、一般的な六角ナットに比べて全長が長くなっている。高ナットの材質としては、真鍮やステンレス等を用いることができる。
【００６３】
このように、キャスタ４０のナット４０４として高ナットを使用することにより、商品陳列台Ｄ（Ｄ１〜Ｄ５）の移動時の耐荷重を高めることができ、耐久性を向上させることができる。
【００６４】
このような構成のキャスタ４０は、図１１に示すように、図９に示すようなキャスタベース２００を用いることにより、商品陳列台Ｄ（Ｄ１〜Ｄ４）の下面側にキャスタ４０を取付けることができる。
【００６５】
なお、図１に示すような台座３０の下面の四隅にキャスタ４０を取付けるようにしてもよい。
【００６６】
ここで、キャスタベース２００は、例えば、図９（ａ）、（ｂ）の鳥瞰図に示すような形状となっている。
【００６７】
即ち、キャスタベース２００は、商品陳列台Ｄ（Ｄ１〜Ｄ４）の天板部材１０に形成される第３の溝部Ｇ３（Ｇ３ａ〜Ｇ３ｄ）の何れかに係合可能に構成されている。
【００６８】
より具体的には、図９（ａ）、（ｂ）に示すように、底面部２０４の上面２０４ａ側に、第３の溝部Ｇ３の溝形状に合わせた壁状の係合部２０１、２０２が設けられている。なお、係合部２０１、２０２は、平面視で、略「く字状」状を呈する形状とされている。
【００６９】
特に、係合部２０１の平面視の形状は、図４（ｂ）に示すような支持脚２０の一方側２０Ｂの断面形状と相似形となっている。
【００７０】
また、底面部２０４には、下面２０４ｂ側からキャスタ４０のナット４０４を挿入可能な挿通部２０３が形成されている。
【００７１】
このような構成のキャスタベース２００を用いてキャスタ４０を取付ける場合には、例えば、商品陳列台Ｄ１〜Ｄ４を組み立てる際に、第２の商品載置部Ｐ２を構成する天板部材１０の第３の溝部Ｇ３（Ｇ３ａ〜Ｇ３ｄ）にキャスタベース２００の係合部２０１、２０２を差し込んで固定する。
【００７２】
次いで、各キャスタベース２００の挿通部２０３に、キャスタ４０のナット４０４を挿入して固定する。
【００７３】
これにより、図１に示すような台座３０を用いることなく、商品陳列台Ｄ（Ｄ１〜Ｄ４）の下面側にキャスタ４０を直接取付けることができる。
【００７４】
なお、図８に示すようなキャスタ４０に代えて、ストッパ機構付きのキャスタを用いるようにしてもよい。
【００７５】
（照明器具の取付け）
図３および図１０を参照して、商品陳列台Ｄ（Ｄ１〜Ｄ５）への照明器具５００の取付けの例について説明する。
【００７６】
図１０は、実施の形態に係る商品陳列台Ｄ（Ｄ１〜Ｄ５）に適用される照明器具５００を示す一部平面図である。
【００７７】
第１の商品載置部Ｐ１を構成する天板部材１０の他方の面１０Ｂ側には、図３に示すように、照明器具５００を係止する係止部１５０が設けられている。
【００７８】
より具体的には、係止部１５０は、照明器具５００側に設けられる磁石Ｍと着磁可能な磁性体（例えば、鉄等）で構成されるネジ等を螺合可能なネジ孔などで構成される。
【００７９】
即ち、例えば、直管型のＬＥＤライトや蛍光灯等の光源５０１を備える棒状の照明器具５００の上面側（天板部材１０と対向する面側）の両端部には、磁石Ｍが配設されている。
【００８０】
なお、図３に示すように係止部１５０（ネジ孔）に螺合されたネジ（図示せず）と磁石Ｍが対向するように、照明器具５００の長さ等が設計されている。
【００８１】
そして、商品陳列台Ｄ（Ｄ１〜Ｄ５）において、第１の商品載置部Ｐ１を構成する天板部材１０の全部又は一部に照明器具５００を取付けたい場合には、取付けを望む天板部材１０の係止部１５０（ネジ孔）にネジを螺合する。
【００８２】
次いで、照明器具５００の磁石Ｍを係止部１５０のネジに着磁させる。その後、必要に応じて配線等を行うことにより、所望の第１の商品載置部Ｐ１について、照明器具５００による照明を行うことができ、各種商品の陳列をより見栄え良くすることができる。
なお、本実施例では照明器具５００の長さは一つの商品載置部に収まる長さとされているが、これには限定されず、複数の商品載置部に１つの照明器具５００が取り付けられるような長さとしてもよい。この場合には、照明器具５００を商品載置部の数だけ用意する必要が無く、照明器具５００の配線等が容易になるというメリットがある。
【００８３】
（商品陳列台の陳列態様）
以上述べた構成を備える商品陳列台Ｄ１〜Ｄ５等は、積み重ね方によって、種々の陳列態様に対応することができる。
【００８４】
まず、図１に示すように、４つの商品陳列台Ｄ１〜Ｄ４を方形状に配置し、これら商品陳列台Ｄ１〜Ｄ４の略中央に、商品陳列台Ｄ５を載せた場合には、本実施の形態に係る商品陳列台Ｄの最大の特徴である「ひな壇形状」に組み立てることができる。
【００８５】
より具体的には、方形状に配置した商品陳列台Ｄ１〜Ｄ４の天板１０に形成されている各第２の溝部Ｇ２ａ（図２（ａ）等参照）に、商品陳列台Ｄ５の各支持柱２０の一端２０Ａ（図４（ａ）、（ｂ）参照）を差し込んで係合させる。
【００８６】
これにより、図１に示すように、最上段が半ピッチずれた位置に配置された「ひな壇形状」の陳列態様が完成する。
【００８７】
このような「ひな壇形状」の陳列態様によれば、従来のように、単純に立方体や直方体の形状に組み立てた陳列態様に比して、各種商品をより見栄え良く陳列することができる。
【００８８】
なお、第２の溝部Ｇ２（Ｇ２ａ〜Ｇ２ｄ）の形成位置を略中央部以外に設ける場合には、本実施の形態に示すような半ピッチずらした陳列態様に代えて、例えば１／４ピッチずらした陳列態様などとすることができる。
【００８９】
また、図１に示す例では、４つの商品陳列台Ｄ１〜Ｄ４を一段のみとしているが、これに代えて、立方体や直方体の形状となるように商品陳列台を二段以上積み重ね、その最上段の商品陳列台を商品陳列台Ｄ５のような位置に配置した陳列態様とすることもできる。
【００９０】
さらに、水平方向への商品陳列台の配置数を６個以上とした陳列態様とすることもできる。
【００９１】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。
【００９２】
このように、本実施の形態はここでは記載していない様々な実施の形態などを含む。
【００９３】
例えば、本実施の形態では、支持脚２０として、断面形状が略「く」の字形状を呈するものを用いる場合について述べたが、これには限定されず、例えば断面形状が円弧状などのものであってもよい。また、この場合、支持脚２０の断面形状に合わせて、第１の溝部Ｇ１（Ｇ１ａ〜Ｇ１ｄ）、第２の溝部Ｇ２（Ｇ２ａ〜Ｇ２ｄ）および第３の溝部Ｇ３（Ｇ３ａ〜Ｇ３ｄ）の形状も変更されることは言うまでもない。
【００９４】
また、本実施の形態では、天板部材１０および支持脚２０を樹脂で成形する場合について述べたが、これには限定されず、天板部材１０および支持脚２０の全部または一部を金属等で構成するようにしてもよい。
【産業上の利用可能性】
【００９５】
本実施の形態の商品陳列台は、デパート、コンビニエンスストア、薬局、ドラッグストア等において、各種商品の陳列に適用できる。
【符号の説明】
【００９６】
Ｄ（Ｄ１〜Ｄ５）…商品陳列台
Ｐ１…第１の商品載置部
Ｐ２…第２の商品載置部
Ｇ１（Ｇ１ａ〜Ｇ１ｄ）…第１の溝部
Ｇ２（Ｇ２ａ〜Ｇ２ｄ）…第２の溝部
Ｇ３（Ｇ３ａ〜Ｇ３ｄ）…第３の溝部
Ｃ１〜Ｃ４、Ｃ１１〜Ｃ１４…四隅
１０…天板部材
２０…支持脚
３０…台座
４０…キャスタ
５０…凸部
５１…凹部
５２、５３…リブ
５５…係合溝（係合部）
１００…カードホルダ
１５０…係止部
２００…キャスタベース
５００…照明器具
５０１…光源
【図１】
0006771300.tif 000002
【図２】
0006771300.tif 000003
【図３】
0006771300.tif 000004
【図４】
0006771300.tif 000005
【図５】
0006771300.tif 000006
【図６】
0006771300.tif 000007
【図７】
0006771300.tif 000008
【図８】
0006771300.tif 000009
【図９】
0006771300.tif 000010
【図１０】
0006771300.tif 000011
【図１１】
0006771300.tif 000012